Podtech/llm-jp-corpus-v4-ja_patent huggingface dataset:
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
３次元オブジェクトプリンタであって、
プラテンと、
前記プラテンに向けて材料を吐出するように構成された複数のエジェクタであって、前
記複数のエジェクタの各エジェクタが異なる材料を吐出するように構成された複数のエジェクタと、
前記複数のエジェクタに動作可能に接続されたコントローラであって、
前記プラテン上に形成される前記オブジェクトの画像データを受信し、
前記オブジェクトの第１領域に関連する画像データにおける硬度識別子を参照して前記３次元オブジェクトプリンタの前記複数のエジェクタのうちの第１のエジェクタを選択し、前記第１のエジェクタは第１の材料を吐出するように構成され、
前記オブジェクトの第２領域に関連する画像データにおける色識別子を参照して前記複数のエジェクタのうちの第２のエジェクタを選択し、前記第２のエジェクタは前記第１の材料の硬度とは異なる硬度を有する第２の材料を吐出するように構成され、
前記第１の領域に対応する前記画像データを使用して第１のエジェクタを動作させ、前記第１の材料を前記プラテンに向けて吐出して、前記第１の材料で前記オブジェクトの前記第１の領域の少なくとも一部形成し、
前記第２の領域に対応する前記画像データを使用して前記第２のエジェクタを動作させ、前記第２の材料を前記プラテンに向けて吐出して、前記第２の材料で前記オブジェクトの前記第２領域の少なくとも一部を形成し、前記オブジェクトの前記第２の領域の一部が前記第１の材料で形成された前記第１の領域の一部を覆う前記第２の材料で形成されるように構成されるコントローラと
を備える、３次元オブジェクトプリンタ。
【請求項２】
前記コントローラは、
前記硬度識別子の所定の範囲内にある前記第１の材料の硬度に応じて前記第１のエジェクタを選択する
ようにさらに構成されている、請求項１に記載のプリンタ。
【請求項３】
前記コントローラは、
前記硬度識別子を参照して前記複数のエジェクタのうちの前記第１のエジェクタと別のエジェクタとを選択するようにさらに構成され、前記別のエジェクタが前記第１の材料の硬度とは異なる硬度を有する別の材料を吐出する
ように構成されている、請求項１に記載のプリンタ。
【請求項４】
前記コントローラは、
前記硬度識別子よりも小さい前記第１の材料の硬度と、前記硬度識別子よりも大きい前記別の材料の硬度とに応じて、前記第１のエジェクタと前記別のエジェクタとを選択する
ようにさらに構成されている、請求項３に記載のプリンタ。
【請求項５】
前記コントローラは、
前記第１のエジェクタ及び前記別のエジェクタを動作させ、前記プラテンに向かって、前記第１の材料及び前記別の材料を吐出し、前記オブジェクトの第１の領域の一部を形成し、前記第１の材料と前記別の材料を混合し、前記硬度識別子に応じた硬度で前記オブジェクトの前記第１の領域の一部を形成する、
ようにさらに構成されている、請求項４に記載のプリンタ。
【請求項６】
前記コントローラは、
前記色識別子を参照して前記複数のエジェクタのうちの前記第２のエジェクタと別のエジェクタとを選択し、前記別のエジェクタは前記第２の材料の色とは異なる色を有する別の材料を吐出し、前記第２の材料は前記色識別子に対応する色と異なる、
ようにさらに構成されている、請求項１に記載のプリンタ。
【請求項７】
前記コントローラは、
前記第２のエジェクタと前記別のエジェクタを動作させ、前記プラテンに向かって、前記第２の材料と前記別の材料を吐出し、前記オブジェクトの前記第２の領域の一部を形成し、前記第２の材料と前記別の材料を混合して、前記色識別子に対応する色で、前記オブジェクトの前記第２の領域の一部と形成する、
ようにさらに構成されている、請求項６に記載のプリンタ。
【請求項８】
前記コントローラは、
前記オブジェクトの前記第２の領域を覆う前記オブジェクトの別の領域に関連するテクスチャ識別子を参照して、前記複数のエジェクタのうちの前記第１のエジェクタと第３のエジェクタを選択し、前記第１のエジェクタと前記第３のエジェクタの１つが、前記第１の材料と前記第３の材料の１つを吐出し、前記第１の材料と前記第３の材料の１つは透明であり、前記第２の材料のテクスチャと異なるテクスチャを有するように構成され、
前記第１のエジェクタと前記第３のエジェクタを動作させ、前記プラテンに向かって、前記第１の材料と前記第３の材料を吐出し、前記オブジェクトの前記第２の領域の一部の上に別の領域の一部を形成するように構成されている、請求項１に記載のプリンタ。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
所定のスイッチ信号に基づいて抽選処理を実行し、その抽選結果に応じた遊技動作を実行可能な遊技機であって、
前記抽選処理を実行して遊技動作を中心統括的に制御する主制御手段と、遊技球の入賞時に、賞球数を特定する賞球コマンドを前記主制御手段から受けるサブ制御手段と、遊技機に配電される交流電源の交流電圧を整流して直流電圧を生成する直流生成手段と、を有して構成され、
前記サブ制御手段は、
前記賞球コマンドに基づいて、遊技球の入賞に対応した制御動作を実行するコンピュータ回路を搭載した本体回路基板と、
直流生成手段が生成した直流電圧を受けて充電され、交流電源の遮断後も、前記コンピュータ回路の揮発性メモリの記憶内容を維持するバックアップ電源が搭載されたバックアップ電源基板と、を有して構成され、
電源投入後、バックアップ電源及び／又はバックアップ電源基板について、正常判定がされない限り、その後の処理に移行しないよう構成されていることを特徴とする遊技機。
【請求項２】
前記正常判定は、バックアップ電源基板から受ける検出電圧に基づいて判定される請求項１に記載の遊技機。
【請求項３】
前記正常判定により、本体回路基板と、バックアップ電源基板とが、正常に接続されていると判定される請求項２に記載の遊技機。
【請求項４】
前記正常判定により、更に、バックアップ電源が正常であると判定される請求項３に記載の遊技機。
【請求項５】
電源投入後、バックアップ電源及び／又はバックアップ電源基板について正常判定をした前記サブ制御手段は、前記主制御手段に対して、動作開始信号を出力する請求項１〜４の何れかに記載の遊技機。
【請求項６】
前記主制御手段は、動作開始信号を受けない限り、その後の遊技制御動作に移行しないよう構成されている請求項５に記載の遊技機。
【手続補正２】
【補正対象書類名】明細書
【補正対象項目名】００１２
【補正方法】変更
【補正の内容】
【００１２】
上記の目的を達成するため、本発明は、所定のスイッチ信号に基づいて抽選処理を実行し、その抽選結果に応じた遊技動作を実行可能な遊技機であって、前記抽選処理を実行して遊技動作を中心統括的に制御する主制御手段と、遊技球の入賞時に、賞球数を特定する賞球コマンドを前記主制御手段から受けるサブ制御手段と、遊技機に配電される交流電源の交流電圧を整流して直流電圧を生成する直流生成手段と、を有して構成され、前記サブ制御手段は、前記賞球コマンドに基づいて、遊技球の入賞に対応した制御動作を実行するコンピュータ回路を搭載した本体回路基板と、直流生成手段が生成した直流電圧を受けて充電され、交流電源の遮断後も、前記コンピュータ回路の揮発性メモリの記憶内容を維持するバックアップ電源が搭載されたバックアップ電源基板と、を有して構成され、電源投入後、バックアップ電源及び／又はバックアップ電源基板について、正常判定がされない限り、その後の処理に移行しないよう構成されている。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
遊技球を用いた遊技が行われる遊技盤と、前記遊技に関連して所定の演出画像を表示する液晶表示装置と、を備える遊技機であって、
前記遊技機の後側には、
電子部品が実装される基板と、
該基板を収容する基板ボックスと、
遊技機外部から遊技球を受け入れて下流側に誘導する遊技球供給部と、
前記遊技機の前後方向に所定の幅を有する上板面と、前記遊技機の上下方向に所定の長さを有する後板面と、を有する保護部と、
が設けられ、
前記遊技球供給部は、
遊技球を受け入れて貯留する球タンクと、
該球タンクに貯留されている遊技球を下流側に向けて転動させるように、前記遊技機の左右方向の略中央から当該遊技機の一側端部付近に亘って形成されるタンクレールと、を有し、
前記タンクレールの少なくとも一部には、異物を下方に落下させ得る放出孔が形成され、
前記保護部は、前記放出孔の真下に位置するように前記タンクレールの下方位置に配設されるとともに、前記上板面を前記放出孔の真下に留めた状態で当該タンクレールの下方位置から移動可能とされており、
前記基板ボックスは、前記基板が収容される内部空間を形成する複数の壁部を有し、前記保護部の前記上板面の下方に他の基板ボックスを挟むことなしに配置されると共に、前記保護部の前記後板面よりも前側に配置され、且つ、前記基板ボックスの後面となる前記壁部は前記放出孔よりも前側となるように配置されている
ことを特徴とする遊技機。
【手続補正２】
【補正対象書類名】明細書
【補正対象項目名】０００２
【補正方法】変更
【補正の内容】
【０００２】
従来、球タンクからの遊技球を下流側へ導くタンクレールを備える遊技機が提案されている（例えば、特許文献１）。このタンクレールには、遊技球によって生ずる異物を排出する孔が設けられていた。
【手続補正３】
【補正対象書類名】明細書
【補正対象項目名】０００３
【補正方法】変更
【補正の内容】
【０００３】
【特許文献１】特開２０１３−２１５４４０号公報（図２）
【手続補正４】
【補正対象書類名】明細書
【補正対象項目名】０００４
【補正方法】変更
【補正の内容】
【０００４】
ところが、タンクレールに設けられる孔から落下する異物がタンクレールの下方に配置される制御基板に付着すると、電気的なトラブルが生じて制御基板に不具合が発生したり、誤動作したりする等の原因となっていた。最近の制御基板では、制御対象の数が増大することによりコネクタのピン間隔が狭くなり、コネクタの数が増大することでコネクタの間隔が狭くなっていると共に、さらに、ＩＣのピン間隔が小さくなっているため、タンクレールからの落下異物による電気的なトラブルの対策を講ずる必要がある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、タンクレールからの落下異物による電気的なトラブルを防止することができる遊技機を提供することにある。
【手続補正６】
【補正対象書類名】明細書
【補正対象項目名】０００７
【補正方法】変更
【補正の内容】
【０００７】
（解決手段１）
遊技球を用いた遊技が行われる遊技盤と、前記遊技に関連して所定の演出画像を表示する液晶表示装置と、を備える遊技機であって、
前記遊技機の後側には、
電子部品が実装される基板と、
該基板を収容する基板ボックスと、
遊技機外部から遊技球を受け入れて下流側に誘導する遊技球供給部と、
前記遊技機の前後方向に所定の幅を有する上板面と、前記遊技機の上下方向に所定の長さを有する後板面と、を有する保護部と、
が設けられ、
前記遊技球供給部は、
遊技球を受け入れて貯留する球タンクと、
該球タンクに貯留されている遊技球を下流側に向けて転動させるように、前記遊技機の左右方向の略中央から当該遊技機の一側端部付近に亘って形成されるタンクレールと、を有し、
前記タンクレールの少なくとも一部には、異物を下方に落下させ得る放出孔が形成され、
前記保護部は、前記放出孔の真下に位置するように前記タンクレールの下方位置に配設されるとともに、前記上板面を前記放出孔の真下に留めた状態で当該タンクレールの下方位置から移動可能とされており、
前記基板ボックスは、前記基板が収容される内部空間を形成する複数の壁部を有し、前記保護部の前記上板面の下方に他の基板ボックスを挟むことなしに配置されると共に、前記保護部の前記後板面よりも前側に配置され、且つ、前記基板ボックスの後面となる前記壁部は前記放出孔よりも前側となるように配置されている
ことを特徴とする遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
本発明の遊技機においては、タンクレールからの落下異物による電気的なトラブルを防止することができる。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
記録素子基板であって、
少なくとも第１のノズルと第２のノズルを含む複数のノズルと、
前記複数のノズルにそれぞれに対応して設けられた複数のヒータと、
少なくとも、前記第１のノズルに対応する第１の温度センサと前記第２のノズルに対応する第２の温度センサを含む複数の温度センサと、
前記複数の温度センサから前記第１の温度センサと前記第２の温度センサを順に選択する際、前記第１の温度センサの出力値と前記第２の温度センサの出力値の差が所定値より小さくなるまで前記第１の温度センサを選択し、前記第１の温度センサの出力値と前記第２の温度センサの出力値の差が所定値より小さくなった後に前記第２の温度センサを選択する選択手段と、
前記選択手段により選択された温度センサの出力値に基づいて、吐出の状態を示す信号を出力する出力手段と、
を備えることを特徴とする記録素子基板。
【請求項２】
前記記録素子基板は更に、少なくとも、前記第１の温度センサに関する第１の温度信号を生成する第１の信号生成部と前記第２の温度センサに関する第２の温度信号を生成する第２の信号生成部を含む複数の信号生成部を有し、
前記第２の信号生成部は、前記第１の信号生成部が前記第１の温度信号を生成した後、前記第２の温度信号の生成を開始することを特徴とする請求項１に記載の記録素子基板。
【請求項３】
前記選択手段は、
前記第１の温度センサの出力値と前記第２の温度センサの出力値を比較するコンパレータを有し、
前記コンパレータの比較結果に従って、前記第１の温度センサから前記第２の温度センサに切り替えることを特徴とする請求項１または２に記載の記録素子基板。
【請求項４】
前記選択手段は、
少なくとも、前記第１の温度信号が流れる第１のダイオードと前記第２の温度信号が流れる第２のダイオードを含む複数のダイオードを有し、
前記第１のダイオードのカソードと前記第２のダイオードのカソードが前記出力手段の入力側で接続されていることを特徴とする請求項２に記載の記録素子基板。
【請求項５】
前記出力手段は、
バンドパスフィルタと、
前記バンドパスフィルタを通過して得られた前記第１の温度信号の値と前記第２の温度信号の値と、所定のしきい値との比較により、前記吐出の状態を判定する判定回路と
を有することを特徴とする請求項４に記載の記録素子基板。
【請求項６】
前記記録素子基板は更に、
前記複数のノズルに含まれる第３のノズルと、
前記複数の温度センサに含まれ、前記第３のノズルに対応する第３の温度センサと
を備え、
前記第１の信号生成部は、前記第２の信号生成部が前記第２の温度信号を生成した後、前記第３の温度センサに関する第３の温度信号を生成することを特徴とする請求項２に記載の記録素子基板。
【請求項７】
請求項１乃至６のいずれか一項に記載の記録素子基板を１または複数備えることを特徴とする記録ヘッド。
【請求項８】
請求項７に記載の記録ヘッドと、
前記記録ヘッドから出力された前記吐出の状態を示す信号に基づいて、前記複数のヒータを制御する制御手段と、
を備えることを特徴とする画像形成装置。
【手続補正２】
【補正対象書類名】明細書
【補正対象項目名】０００７
【補正方法】変更
【補正の内容】
【０００７】
上記課題を解決するために本願発明は以下の構成を有する。すなわち、記録素子基板であって、少なくとも第１のノズルと第２のノズルを含む複数のノズルと、前記複数のノズルにそれぞれに対応して設けられた複数のヒータと、少なくとも、前記第１のノズルに対応する第１の温度センサと前記第２のノズルに対応する第２の温度センサを含む複数の温度センサと、前記複数の温度センサから前記第１の温度センサと前記第２の温度センサを順に選択する際、前記第１の温度センサの出力値と前記第２の温度センサの出力値の差が所定値より小さくなるまで前記第１の温度センサを選択し、前記第１の温度センサの出力値と前記第２の温度センサの出力値の差が所定値より小さくなった後に前記第２の温度センサを選択する選択手段と、前記選択手段により選択された温度センサの出力値に基づいて、吐出の状態を示す信号を出力する出力手段と、を備える。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
ｐＨ９以上のアミン含有排水を逆浸透膜に通水し、第１透過水と第１濃縮水とに分離する第１逆浸透膜処理工程と、
前記第１透過水を逆浸透膜に通水し、第２透過水と第２濃縮水とに分離する第２逆浸透膜処理工程と、
前記第１濃縮水を蒸発濃縮する蒸発濃縮工程と、
前記蒸発濃縮工程で発生した蒸気を凝縮する凝縮工程と、
前記凝縮工程で得られた凝縮水を前記アミン含有排水に返送する凝縮水返送工程と、を有することを特徴とするアミン含有排水の処理方法。
【請求項２】
前記第２濃縮水を前記アミン含有排水に返送する濃縮水返送工程を有することを特徴とする請求項１に記載のアミン含有排水の処理方法。
【請求項３】
前記第１透過水をｐＨ８以下に調整するｐＨ調整工程を有することを特徴とする請求項１又は２に記載のアミン含有排水の処理方法。
【請求項４】
前記アミン含有排水中のアミン濃度は、全有機炭素濃度換算で２０００ｍｇ／Ｌ〜３５０００ｍｇ／Ｌであることを特徴とする請求項１〜３のいずれか１項に記載のアミン含有排水の処理方法。
【請求項５】
逆浸透膜を備え、ｐＨ９以上のアミン含有排水を前記逆浸透膜に通水し、第１透過水と第１濃縮水とに分離する第１逆浸透膜手段と、
逆浸透膜を備え、前記第１透過水を前記逆浸透膜に通水し、第２透過水と第２濃縮水とに分離する第２逆浸透膜手段と、
前記第１濃縮水を蒸発濃縮する蒸発濃縮手段と、
前記蒸発濃縮手段で発生した蒸気を凝縮する凝縮手段と、
前記凝縮手段で得られた凝縮水を前記アミン含有排水に返送する凝縮水返送手段と、を有することを特徴とするアミン含有排水の処理装置。
【請求項６】
前記第２濃縮水を前記アミン含有排水に返送する濃縮水返送手段を有することを特徴とする請求項５に記載のアミン含有排水の処理装置。
【請求項７】
前記第１透過水をｐＨ８以下に調整するｐＨ調整手段を有することを特徴とする請求項５又は６に記載のアミン含有排水の処理装置。
【請求項８】
前記アミン含有排水中のアミン濃度は、全有機炭素濃度換算で２０００ｍｇ／Ｌ〜３５０００ｍｇ／Ｌであることを特徴とする請求項５〜７のいずれか１項に記載のアミン含有排水の処理装置。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
遊技球を用いた遊技が行われる遊技盤と該遊技盤を収容する遊技機枠とを備える遊技機であって、
遊技機外部から遊技球を受け入れて下流側に誘導すると共に異物を下方に落下させ得る放出孔が少なくとも一部に形成される遊技球供給部と、
前記放出孔の下方に配置され、電子部品とコネクタが実装される基板を収容すると共に通気孔が形成される基板ケースと、
前記遊技球供給部と前記基板ケースとの間に設けられると共に、前記遊技機の前後方向に所定の幅を有する上板部材と、
前記基板ケースの後方に設けられると共に、前記遊技機の上下方向に所定の長さを有する裏カバー部材と、
を備え、
前記基板ケースは、前記遊技盤が前記遊技機枠に取付けられた状態で背面となる面を窪ませたコネクタ凹部を備え、該コネクタ凹部により前記コネクタが前記背面となる面から突出せず、
前記上板部材と前記裏カバー部材とが当接状態で設けられるものであり、当該当接状態を解除して前記裏カバー部材だけを移動させることが可能とされる、
ことを特徴とする遊技機。
【手続補正２】
【補正対象書類名】明細書
【補正対象項目名】０００２
【補正方法】変更
【補正の内容】
【０００２】
従来、球タンクからの遊技球を下流側へ導くタンクレールを備える遊技機が提案されている（例えば、特許文献１）。このタンクレールには、遊技球によって生ずる異物を排出する孔が設けられている。
【手続補正３】
【補正対象書類名】明細書
【補正対象項目名】０００３
【補正方法】変更
【補正の内容】
【０００３】
【特許文献１】特開２０１３−２１５４４０号公報（図２）
【手続補正４】
【補正対象書類名】明細書
【補正対象項目名】０００４
【補正方法】変更
【補正の内容】
【０００４】
ところが、タンクレールに設けられる孔から落下する異物がタンクレールの下方に配置される制御基板に付着すると、電気的なトラブルが生じて制御基板に不具合が発生したり、誤動作したりする等の原因となっていた。最近の制御基板では、制御対象の数が増大することによりコネクタのピン間隔が狭くなり、コネクタの数が増大することでコネクタの間隔が狭くなっていると共に、さらに、ＩＣのピン間隔が小さくなっているため、タンクレールからの落下異物による電気的なトラブルの対策を講ずる必要がある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、タンクレールからの落下異物による電気的なトラブルを防止することができる遊技機を提供することにある。
【手続補正６】
【補正対象書類名】明細書
【補正対象項目名】０００７
【補正方法】変更
【補正の内容】
【０００７】
（解決手段１）
遊技球を用いた遊技が行われる遊技盤と該遊技盤を収容する遊技機枠とを備える遊技機であって、
遊技機外部から遊技球を受け入れて下流側に誘導すると共に異物を下方に落下させ得る放出孔が少なくとも一部に形成される遊技球供給部と、
前記放出孔の下方に配置され、電子部品とコネクタが実装される基板を収容すると共に通気孔が形成される基板ケースと、
前記遊技球供給部と前記基板ケースとの間に設けられると共に、前記遊技機の前後方向に所定の幅を有する上板部材と、
前記基板ケースの後方に設けられると共に、前記遊技機の上下方向に所定の長さを有する裏カバー部材と、
を備え、
前記基板ケースは、前記遊技盤が前記遊技機枠に取付けられた状態で背面となる面を窪ませたコネクタ凹部を備え、該コネクタ凹部により前記コネクタが前記背面となる面から突出せず、
前記上板部材と前記裏カバー部材とが当接状態で設けられるものであり、当該当接状態を解除して前記裏カバー部材だけを移動させることが可能とされる、
ことを特徴とする遊技機。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
本発明の遊技機においては、タンクレールからの落下異物による電気的なトラブルを防止することができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
前面を向いた造形体と、
造形体の後方に光照射すべく造形体の後方に設けた照明体と、
照明体からの照射光を投映すべく照明体の更に後方に配置した半透明な背面投影板と、よりなる造形体の背光照明装置。
【請求項２】
造形体の背部に設けた照明体は、造形体と一体に形成した背景造形体に組み込まれている請求項１に記載の造形体の背光照明装置。
【請求項３】
背景造形体の表面側に一定形状の溝部を形成し、
該溝部中に中空のチューブ体に一定間隔でＬＥＤチップを内蔵した発光チューブを嵌着し、発光チューブのＬＥＤチップ位置に対応した溝底部に背景造形体の内部と連通した放熱用透孔を穿設した請求項２に記載の造形体の背光照明装置。
【請求項４】
背景造形体の外表面の所定位置には外表面を多面体にカットしたガラス粒子を配設した請求項２に記載の造形体の背光照明装置。
【手続補正２】
【補正対象書類名】明細書
【補正対象項目名】０００６
【補正方法】変更
【補正の内容】
【０００６】
請求項１の発明は、前面を向いた造形体と、造形体の後方に光照射すべく造形体の後方に設けた照明体と、照明体からの照射光を投映すべく照明体の更に後方に配置した半透明な背面投影板と、よりなる造形体の背光照明装置に関する。
【手続補正３】
【補正対象書類名】明細書
【補正対象項目名】００１０
【補正方法】削除
【補正の内容】
【手続補正４】
【補正対象書類名】明細書
【補正対象項目名】００１５
【補正方法】変更
【補正の内容】
【００１５】
また、請求項１の発明によれば、背面投影板を半透明な背面投影板としたので、背面投影板からの反射光は逆光線として造形体に干渉され遮断されるため造形体の前面は暗淡雰囲気（空間）の中で視認される反面、その周辺では、逆光と非干渉光とが相俟って造形体の輪郭を明確に浮かび上がらせて前方の造形体の形状以上の宗教的精神的な荘厳な雰囲気を醸し出すことができる効果を有する。
また、造形体に照明体を組み込む必要がなく、従って、造形体の形態を自由に形成してより宗教的精神的意義を有する形態とすることができる効果がある。
かかる半透明な背面投影板を設置することにより、半透明な背面投影板の前面に造形体の照明体からの照射光を投影しつつプロジェクター装置から投影する映像を半透明な背面投影板に重畳することができる。半透明な背面投影板には、照明体からの照射光とプロジェクター装置からの映像とを重畳し組み合わせた合成映像が表示されることとなり、造形体の設置場所に応じて、さまざまな合成映像に作り変えて多種の光演出を行うことができる。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
遊技者による開始操作を検出するスタートスイッチと、
小役及びリプレイを含む複数種類の役の当否を決定する内部抽選を行う内部抽選手段と、
前記複数のリールに対応して設けられ、各リールを停止させるための停止操作を検出するストップスイッチと、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段と、
前記複数のリールが停止した状態で、役ごとに予め定められた入賞形態を示す図柄組合せが有効ライン上に表示されたことに基づいて、役が入賞したと判定する入賞判定手段と、
役の入賞を補助する入賞補助制御が実行可能な期間である有利期間と、前記入賞補助制御が実行されない期間である非有利期間と、の間での移行に係る制御を行う有利期間制御手段と、
前記有利期間であることを表示する有利期間表示手段と、を備え、
前記有利期間制御手段は、前記有利期間表示手段に表示を行う表示処理を実行可能であり、
次の遊技から前記有利期間を開始することが決定される第１時点と、前記表示処理が開始される第２時点と、の間に所定の処理が実行される、
ことを特徴とする遊技機。
【請求項２】
前記所定の処理は、所定の演出を実行する演出処理である、
ことを特徴とする請求項１に記載の遊技機。
【請求項３】
前記内部抽選手段は、第１当選態様及び第２当選態様を抽選対象として含み、
前記有利期間制御手段は、前記非有利期間において前記内部抽選で前記第１当選態様に当選した場合に、前記内部抽選で前記第２当選態様に当選した場合よりも高い確率で前記有利期間への移行を決定し、
前記第１当選態様及び前記第２当選態様は、入賞した場合に入賞形態を示す図柄組合せが同一である、
ことを特徴とする請求項１または２に記載の遊技機。
【請求項４】
前記内部抽選手段は、ボーナスを含む複数種類の役の当否を決定する内部抽選を行い、
前記第１当選態様及び前記第２当選態様は、少なくとも前記ボーナスが対応付けられた当選態様であり、
前記第１時点は、前記ボーナスが入賞した時点であり、
前記第２時点は、前記所定の処理が終了した後の時点である、
ことを特徴とする請求項３に記載の遊技機。
【手続補正２】
【補正対象書類名】明細書
【補正対象項目名】０００７
【補正方法】変更
【補正の内容】
【０００７】
（１）本発明に係る遊技機（１）は、
外周面に複数種類の図柄が配列されている複数のリール（Ｒ１，Ｒ２，Ｒ３）と、
遊技者による開始操作を検出するスタートスイッチ（２３０）と、
小役及びリプレイを含む複数種類の役の当否を決定する内部抽選を行う内部抽選手段（１２０）と、
前記複数のリールに対応して設けられ、各リールを停止させるための停止操作を検出するストップスイッチ（２４０）と、
前記スタートスイッチによる前記開始操作の検出に基づいて、前記複数のリールを回転させ、前記ストップスイッチによる前記停止操作の検出及び前記内部抽選手段により決定された前記内部抽選の結果に基づいて、回転中の前記リールを停止させるリール停止制御を行うリール制御手段（１３０）と、
前記複数のリールが停止した状態で、役ごとに予め定められた入賞形態を示す図柄組合せが有効ライン上に表示されたことに基づいて、役が入賞したと判定する入賞判定手段（１４０）と、
役の入賞を補助する入賞補助制御が実行可能な期間である有利期間と、前記入賞補助制御が実行されない期間である非有利期間と、の間での移行に係る制御を行う有利期間制御手段（２００）と、
前記有利期間であることを表示する有利期間表示手段（５００Ａ）と、を備え、
前記有利期間制御手段（２００）は、前記有利期間表示手段に表示を行う表示処理を実行可能であり、
次の遊技から前記有利期間を開始することが決定される第１時点と、前記表示処理が開始される第２時点と、の間に所定の処理が実行されることを特徴とする。
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
常温固形油である高級脂肪酸及び高級アルコール、並びに界面活性剤を有する水中油型乳化化粧料であって、
アクリルアミド系増粘剤及びヒドロキシプロピルメチルセルロースを更に含有する、水中油型乳化化粧料。
【請求項２】
常温固形油である高級アルコール、並びに界面活性剤を有する水中油型乳化化粧料であって、
アクリルアミド系増粘剤、ヒドロキシプロピルメチルセルロース、及びカルボキシビニルポリマーを更に含有する、水中油型乳化化粧料。
【請求項３】
前記界面活性剤がレシチン、水酸化レシチン及び水添レシチンから選択される１種以上を含む、請求項１又は２に記載の水中油型乳化化粧料。
【請求項４】
前記高級アルコールがバチルアルコールであり、連続相においてラメラゲル構造を有する、請求項１〜３のいずれか１項に記載の水中油型乳化化粧料。
【請求項５】
前記アクリルアミド系増粘剤及びヒドロキシプロピルメチルセルロースの合計含有量が０．１質量％以上５．０質量％以下である、請求項１〜４のいずれか１項に記載の水中油型乳化化粧料。
【請求項６】
クリーム剤形である、請求項１〜５のいずれか１項に記載の水中油型乳化化粧料。
【請求項７】
化粧料を塗布した際の化粧料の肌なじみを改善する方法であって、アクリルアミド系増粘剤含有水中油型乳化化粧料に、ヒドロキシプロピルメチルセルロースを添加するステップ、を含む方法。
【請求項８】
前記ヒドロキシプロピルメチルセルロースの添加量が、０．０１質量％以上１０質量％以下である、請求項７に記載の方法。
【請求項９】
前記アクリルアミド系増粘剤及びヒドロキシプロピルメチルセルロースの合計含有量が０．１質量％以上５．０質量％以下である、請求項７又は８に記載の方法。
【手続補正２】
【補正対象書類名】明細書
【補正対象項目名】０００８
【補正方法】変更
【補正の内容】
【０００８】
（１）常温固形油である高級脂肪酸及び高級アルコール、並びに界面活性剤を有する水中油型乳化化粧料であって、
アクリルアミド系増粘剤及びヒドロキシプロピルメチルセルロースを更に含有する、水中油型乳化化粧料。
（２）前記界面活性剤がレシチン、水酸化レシチン及び水添レシチンから選択される１種以上を含む、（１）に記載の水中油型乳化化粧料。
（３）前記高級アルコールがバチルアルコールであり、連続相においてラメラゲル構造を有する、（１）又は（２）に記載の水中油型乳化化粧料。
（４）前記アクリルアミド系増粘剤及びヒドロキシプロピルメチルセルロースの合計含有量が０．１質量％以上５．０質量％以下である、（１）〜（３）のいずれかに記載の水中油型乳化化粧料。
（５）クリーム剤形である、（１）〜（４）のいずれかに記載の水中油型乳化化粧料。
（６）化粧料を塗布した際の化粧料の肌なじみを改善する方法であって、アクリルアミド系増粘剤含有水中油型乳化化粧料に、ＨＰＭＣを添加するステップ、を含む方法。
（７）常温固形油である高級アルコール、並びに界面活性剤を有する水中油型乳化化粧料であって、
アクリルアミド系増粘剤、ヒドロキシプロピルメチルセルロース、及びカルボキシビニルポリマーを更に含有する、水中油型乳化化粧料。
（８）前記界面活性剤がレシチン、水酸化レシチン及び水添レシチンから選択される１種以上を含む、（７）に記載の水中油型乳化化粧料。
（９）前記高級アルコールがバチルアルコールであり、連続相においてラメラゲル構造を有する、（７）又は（８）に記載の水中油型乳化化粧料。
【手続補正３】
【補正対象書類名】明細書
【補正対象項目名】００１０
【補正方法】変更
【補正の内容】
【００１０】
本実施形態に係る水中油型乳化化粧料は、（Ａ）常温固形油である高級脂肪酸、（Ｂ）常温固形油である高級アルコール、（Ｃ）界面活性剤、（Ｄ）アクリルアミド系増粘剤、及び（Ｅ）ＨＰＭＣを含有する水中油型乳化化粧料である。
また、別の実施形態に係る水中油型乳化化粧料は、（Ｂ）常温固形油である高級アルコール、（Ｃ）界面活性剤、（Ｄ）アクリルアミド系増粘剤、（Ｅ）ＨＰＭＣ、及び（Ｆ）カルボキシビニルポリマーを含有する水中油型乳化化粧料である。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
（ａ）水素添加レシチンおよび（ｂ）モノオレイン酸ジグリセリルを含有する、Ｏ／Ｗ／Ｏ型乳化組成物。
【請求項２】
前記（ａ）水素添加レシチンおよび（ｂ）モノオレイン酸ジグリセリルを（ａ）：（ｂ）＝１９：１〜１２：８の範囲で含有することを特徴とする、請求項１に記載のＯ／Ｗ／Ｏ型乳化組成物。
【請求項３】
前記（ａ）水素添加レシチンおよび（ｂ）モノオレイン酸ジグリセリルがＯ／Ｗエマルジョンの界面に存在することを特徴とする、請求項１または２に記載のＯ／Ｗ／Ｏ型乳化組成物。
【請求項４】
前記組成物に占めるＯ／Ｗエマルジョンの比率が６５〜８０重量％であることを特徴とする、請求項１から３のいずれか１項に記載のＯ／Ｗ／Ｏ型乳化組成物。
【請求項５】
前記組成物に占める内油相の比率が２〜２０重量％であることを特徴とする、請求項１から４のいずれか１項に記載のＯ／Ｗ／Ｏ型乳化組成物。
【請求項６】
組成物に占める水相の比率が４５〜７８重量％であることを特徴とする、請求項１から５のいずれか１項に記載のＯ／Ｗ／Ｏ型乳化組成物。
【請求項７】
さらに（ｃ）有機変性粘土鉱物を含有する、請求項１から６のいずれか１項に記載のＯ／Ｗ／Ｏ型乳化組成物。
【請求項８】
さらに（ｄ）架橋型メチルポリシロキサンを含有する、請求項１から７のいずれか１項に記載のＯ／Ｗ／Ｏ型乳化組成物。
【請求項９】
さらに（ｅ）ダイマー酸のジエステル及び／又はダイマージオールのジエステルを含有する、請求項１から８のいずれか１項に記載のＯ／Ｗ／Ｏ型乳化組成物。
【請求項１０】
（ａ）水素添加レシチンおよび（ｂ）モノオレイン酸ジグリセリルを含有するＯ／Ｗ／Ｏ型乳化組成物の製造方法であって、前記（ａ）水素添加レシチンおよび（ｂ）モノオレイン酸ジグリセリルを含む界面活性剤、油剤、および水性成分を加温下で混合してＯ／Ｗエマルションを調製したのち、前記Ｏ／Ｗエマルションと油剤を混合してＯ／Ｗ／Ｏエマルションを調製することを特徴とする、Ｏ／Ｗ／Ｏ型乳化組成物の製造方法。
【請求項１１】
前記Ｏ／Ｗエマルションを調製する際の加温条件が７１〜８０℃であることを特徴とする、請求項１０に記載のＯ／Ｗ／Ｏ型乳化組成物の製造方法。
【手続補正書】
【提出日】令和2年6月12日(2020.6.12)
【手続補正１】
【補正対象書類名】明細書
【補正対象項目名】０１６０
【補正方法】変更
【補正の内容】
【０１６０】
（経時保存安定性６０℃）
水性着色剤分散体を６０℃の恒温機に２週間保存・経時促進させた後、体積メディアン径Ｄ５０を測定し、その変化率を算出し、以下の基準で評価した。
◎  ：Ｄ５０変化率が±１０％未満（きわめて良好）
○  ：Ｄ５０変化率が±１０％以上±２０％未満（良好）
○△：Ｄ５０変化率が±２０％以上±３０％未満（実用上問題なし）
△  ：Ｄ５０変化率が±３０％以上±５０％未満（実用上問題なし）
×  ：Ｄ５０変化率が±５０％以上（不良）
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
記録素子を備え、記録装置の本体部からケーブルを介して伝送される第１クロック信号に基づいて前記記録素子を駆動して記録媒体に記録を行なう記録ヘッドであって、
前記第１クロック信号を少なくとも１／２位相ずらした第２クロック信号を生成する第１生成部と、
前記第１クロック信号と前記第２クロック信号とを含む複数の信号の論理和に基づく論理和信号を生成する第２生成部と、
前記論理和信号に基づいて、前記ケーブルが断線しているか否かを検知する検知部と、を有することを特徴とする記録ヘッド。
【請求項２】
前記論理和信号が、Ｈｉ状態からＬｏｗ状態に遷移した場合、前記ケーブルが断線していることが検知されることを特徴とする請求項１に記載の記録ヘッド。
【請求項３】
前記ケーブルが断線していることが検知されたことに基づいて、前記記録素子の加熱が停止されることを特徴とする請求項１又は２に記載の記録ヘッド。
【請求項４】
前記第１クロック信号の位相をずらしたクロックであり、且つ前記第２クロックと位相が異なる第３クロック信号がさらに生成され、
前記複数の信号は、前記第１クロック信号と前記第２クロック信号と前記第３クロック信号とを含むことを特徴とする請求項１乃至３のいずれか１項に記載の記録ヘッド。
【請求項５】
前記記録ヘッドは、前記ケーブルが断線しているか否かを示すステータス情報を保持するエラー記憶部を有することを特徴とする請求項１乃至４のいずれか１項に記載の記録ヘッド。
【請求項６】
前記ケーブルが断線していることが検知された場合にエラー信号を前記本体部に出力する出力部を有することを特徴とする請求項１乃至５のいずれか１項に記載の記録ヘッド。
【請求項７】
前記ケーブルが断線しているか否かの検知は、前記記録ヘッドが主走査方向に移動している状態で実行されることを特徴とする請求項１乃至６のいずれか１項に記載の記録ヘッド。
【請求項８】
前記ケーブルが断線しているか否かの検知は、前記記録ヘッドによる記録が実行されている状態で実行されることを特徴とする請求項１乃至７のいずれか１項に記載の記録ヘッド。
【請求項９】
前記第２クロック信号は、前記第１クロック信号を１／２位相ずらしたクロックであることを特徴とする請求項１乃至８のいずれか１項に記載の記録ヘッド。
【請求項１０】
記録素子を備え、記録装置の本体部からケーブルを介して伝送される第１クロック信号に基づいて前記記録素子を駆動して記録媒体に記録を行なう記録ヘッドであって、
前記第１クロック信号を少なくとも１／２位相ずらした第２クロック信号を生成する第１生成部と、
前記第１クロック信号と前記第２クロック信号とを含む複数の信号の論理和に基づく論理和信号を生成する第２生成部と、
前記論理和信号に基づいて、前記記録素子の加熱を制御する制御部と、を有することを特徴とする記録ヘッド。
【請求項１１】
前記論理和信号が、Ｈｉ状態からＬｏｗ状態に遷移したことに基づいて、前記記録素子の加熱が制御されることを特徴とする請求項１０に記載の記録ヘッド。
【請求項１２】
前記記録素子の加熱の制御は、前記記録素子の加熱を停止するか否かの制御であることを特徴とする請求項１０又は１１に記載の記録ヘッド。
【請求項１３】
前記第１クロック信号の位相をずらしたクロックであり、且つ前記第２クロックと位相が異なる第３クロック信号がさらに生成され、
前記複数の信号は、前記第１クロック信号と前記第２クロック信号と前記第３クロック信号とを含むことを特徴とする請求項１０乃至１２のいずれか１項に記載の記録ヘッド。
【請求項１４】
前記論理和信号に基づく前記記録素子の加熱の制御は、前記記録ヘッドが主走査方向に移動している状態で実行されることを特徴とする請求項１０乃至１３のいずれか１項に記載の記録ヘッド。
【請求項１５】
前記論理和信号に基づく前記記録素子の加熱の制御は、前記記録ヘッドによる記録が実行されている状態で実行されることを特徴とする請求項１０乃至１４のいずれか１項に記載の記録ヘッド。
【請求項１６】
前記第２クロック信号は、前記第１クロック信号を１／２位相ずらしたクロックであることを特徴とする請求項１０乃至１５のいずれか１項に記載の記録ヘッド。
【請求項１７】
請求項１乃至１６のいずれか１項に記載の記録ヘッドを備え、
前記記録ヘッドによって記録媒体上に画像を形成することを特徴とする記録装置。
【手続補正２】
【補正対象書類名】明細書
【補正対象項目名】０００７
【補正方法】変更
【補正の内容】
【０００７】
本発明の記録ヘッドは、記録素子を備え、記録装置の本体部からケーブルを介して伝送される第１クロック信号に基づいて前記記録素子を駆動して記録媒体に記録を行なう記録ヘッドであって、前記第１クロック信号を少なくとも１／２位相ずらした第２クロック信号を生成する第１生成部と、前記第１クロック信号と前記第２クロック信号とを含む複数の信号の論理和に基づく論理和信号を生成する第２生成部と、前記論理和信号に基づいて、前記ケーブルが断線しているか否かを検知する検知部と、を有することを特徴とする。
本発明の記録装置は、本発明の記録ヘッドを備える。
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
プリントジョブを所定の記憶領域に格納する画像形成装置であって、
プリントジョブを受信する受信手段と、
前記受信手段によって受信したプリントジョブが、当該プリントジョブの印刷を開始する時間を指定する設定を含む予約プリントジョブである場合であり、前記予約プリントジョブの印刷が開始されるまでの待ち時間が所定時間以内である場合、前記受信した予約プリントジョブを前記所定の記憶領域に格納するよう制御し、当該受信したプリントジョブが予約プリントジョブである場合であり、当該予約プリントジョブの印刷が開始されるまでの待ち時間が前記所定時間より長い場合、前記受信した予約プリントジョブを前記所定の記憶領域に格納することなく、当該予約プリントジョブをキャンセルするよう制御する制御手段と、
を有することを特徴とする画像形成装置。
【請求項２】
前記予約プリントジョブに関する上限時間をユーザ操作に基づき設定する設定手段を更に有することを特徴とする請求項１に記載の画像形成装置。
【請求項３】
前記設定手段において設定可能な上限時間は設定下限値と設定上限値の範囲内であることを特徴とする請求項２に記載の画像形成装置。
【請求項４】
前記予約プリントジョブに含まれる前記時間を指定する設定と、前記画像形成装置が管理する現在時刻と前記上限時間の設定とに基づき前記予約プリントジョブの印刷が開始されるまでの待ち時間が所定時間以内であるか否を判定する判定手段を更に有することを特徴とする請求項３に記載の画像形成装置。
【請求項５】
前記制御手段は、更に、前記予約プリントジョブに含まれる前記時間を指定する設定に基づき特定される印刷を開始すべき時刻が、前記画像形成装置が管理する現在時刻より前であると判定した場合、前記受信した予約プリントジョブを前記所定の記憶領域に格納することなく、当該予約プリントジョブをキャンセルするよう制御することを特徴とする請求項１乃至４のいずれか１項に記載の画像形成装置。
【請求項６】
前記所定の記憶領域に格納された予約プリントジョブに含まれる前記時間を指定する設定と、前記画像形成装置が管理する現在の現在時刻とに基づいて前記予約プリントジョブの印刷開始条件を満たすと判定した場合に、当該印刷開始条件を満たした予約プリントジョブに基づく印刷処理を実行する印刷制御手段とを更に有することを特徴とする請求項１乃至５のいずれか１項に記載の画像形成装置。
【請求項７】
前記所定の記憶領域に格納された予約プリントジョブに基づく印刷処理が実行された後に、第１の情報をユーザに対して通知する第１の通知手段を更に有することを特徴とする請求項６に記載の画像形成装置。
【請求項８】
前記所定の記憶領域に格納された予約プリントジョブに基づく印刷処理が完了したことに従って、前記所定の記憶領域から当該印刷処理が完了した予約プリントジョブを削除する削除手段を更に有することを特徴とする請求項６又は７に記載の画像形成装置。
【請求項９】
前記予約プリントジョブをキャンセルする制御を行った場合に、第２の情報をユーザに対して通知する第２の通知手段を更に有することを特徴とする請求項１乃至６のいずれか１項に記載の画像形成装置。
【請求項１０】
プリントジョブを所定の記憶領域に格納する画像形成装置の制御方法であって、
プリントジョブを受信する受信工程と、
前記受信工程において受信したプリントジョブが、当該プリントジョブの印刷を開始する時間を指定する設定を含む予約プリントジョブである場合であり、前記予約プリントジョブの印刷が開始されるまでの待ち時間が所定時間以内である場合、前記受信した予約プリントジョブを前記所定の記憶領域に格納するよう制御し、当該受信したプリントジョブが予約プリントジョブである場合であり、当該予約プリントジョブの印刷が開始されるまでの待ち時間が前記所定時間より長い場合、前記受信した予約プリントジョブを前記所定の記憶領域に格納することなく、当該予約プリントジョブをキャンセルするよう制御する制御工程と、
を有することを特徴とする画像形成装置。
【請求項１１】
請求項１０に記載の画像形成装置の制御方法をコンピュータに実行させるためのプログラム。
【手続補正２】
【補正対象書類名】明細書
【補正対象項目名】０００６
【補正方法】変更
【補正の内容】
【０００６】
本発明は、プリントジョブを所定の記憶領域に格納する画像形成装置であって、プリントジョブを受信する受信手段と、前記受信手段によって受信したプリントジョブが、当該プリントジョブの印刷を開始する時間を指定する設定を含む予約プリントジョブである場合であり、前記予約プリントジョブの印刷が開始されるまでの待ち時間が所定時間以内である場合、前記受信した予約プリントジョブを前記所定の記憶領域に格納するよう制御し、当該受信したプリントジョブが予約プリントジョブである場合であり、当該予約プリントジョブの印刷が開始されるまでの待ち時間が前記所定時間より長い場合、前記受信した予約プリントジョブを前記所定の記憶領域に格納することなく、当該予約プリントジョブをキャンセルするよう制御する制御手段と、を有することを特徴とする。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
基材上に無機粒子からなる層を有する第１部材と、収縮率ｓｈ（％）と弾性率Ｅ（ＭＰａ）がＥ≦１０００００×ｅｘｐ（−２．６４×ｓｈ）を満たす樹脂組成物からなる第２部材、とを接合してなる複合部材。
【請求項２】
前記第２部材が、収縮率ｓｈ（％）と弾性率Ｅ（ＭＰａ）がＥ≦６３０００×ｅｘｐ（−２．６４×ｓｈ）を満たす樹脂組成物からなるものである請求項１に記載の複合部材。
【請求項３】
前記樹脂組成物が、エラストマを含むものである請求項１又は２に記載の複合部材。
【請求項４】
基材上に無機粒子からなる層を有する第１部材と、エラストマを含む樹脂組成物からなる第２部材とを接合してなる複合部材。
【請求項５】
前記エラストマが、オレフィン系重合体、ポリエステル系エラストマ、ウレタン系エラストマ及びアクリル系重合体、から選ばれる少なくとも１種である請求項３又は４に記載の複合部材。
【請求項６】
前記エラストマが、グリシジル基を含有するエラストマである請求項３〜５いずれかの項に記載の複合部材。
【請求項７】
前記無機粒子からなる層が、平均粒径１〜５００ｎｍの無機粒子からなるものである、請求項１〜６いずれかの項に記載の複合部材。
【請求項８】
前記無機粒子からなる層が、厚さ１〜１５００ｎｍである、請求項１〜７いずれかの項に記載の複合部材。
【請求項９】
前記無機粒子からなる層が、最密充填した無機粒子からなるものである、請求項１〜８いずれかの項に記載の複合部材。
【請求項１０】
前記基材が、ＪＩＳ  Ｂ  ０６０１：１９８２に準拠して測定される表面粗さが、Ｒｚ＝Ｒｍａｘ±１０％、かつＲｍａｘ＝１〜１０μｍである請求項１〜９いずれかの項に記載の複合部材。
【請求項１１】
前記基材上の層が、実質的に前記無機粒子のみからなるものである請求項１〜１０いずれかの項に記載の複合部材。
【請求項１２】
前記樹脂組成物が粒径０．１〜５０μｍの無機粒子からなる充填材を５〜５０質量％含有するものである請求項１〜１１いずれかの項に記載の複合部材。
【請求項１３】
前記基材が、樹脂、ガラス、セラミックおよび金属から選ばれる少なくとも１種からなるものである請求項１〜１２いずれかの項に記載の複合部材。
【請求項１４】
前記基材の熱伝導率λ（Ｗ/ｍ・ｋ）が２．０以下である請求項１〜１３いずれかの項に記載の複合部材。
【請求項１５】
請求項１〜１４いずれかの項に記載の複合部材の製造方法であって、移流集積法により、基材上に無機粒子からなる層を形成して第１部材を作成し、前記第１部材上に、収縮率ｓｈ（％）と弾性率Ｅ（ＭＰａ）がＥ≦１０００００×ｅｘｐ（−２．６４×ｓｈ）を満たす樹脂組成物からなる第２部材を射出成形により接合する、複合部材の製造方法。